(57)【要約】【課題】使用者の誤認若しくは悪戯などによって水石鹸吐出口が手で閉塞されることがあっても水石鹸の噴出が生じない、安全で快適な水石鹸吐出器具を提供する。【解決手段】水石鹸吐出器具１は、人体の接近を検知するセンサ８と、センサ８からの検知信号に基づいて作動する水石鹸ポンプによって水石鹸タンク内から供給される水石鹸をムース状石鹸ＭＳにして先端開口部６ｃから吐出する吐出経路６とを備えている。そして、吐出経路６を、ムース状石鹸ＭＳの流路となる送液管と、複数の貫通部を介して大気中と連通する隙間を設けて送液管が内挿された外挿管とからなる二重管構造とし、外挿管６ａ内に配置された送液管の先端開口部を、外挿管６ａの先端開口部６ｃよりも上流側に配置している。【選択図】  図１
2006271404.tif 000002
【特許請求の範囲】
【請求項１】
人体の接近を検知する人体検知手段と、前記人体検知手段からの検知信号に基づいて作動するポンプによって供給される水石鹸を先端開口部から吐出する吐出経路とを備えた水石鹸吐出器具において、前記吐出経路を、前記水石鹸の流路となる送液管と、大気中と連通する隙間を設けて前記送液管が内挿された外挿管とからなる二重管構造とし、前記送液管の先端開口部を前記外挿管の先端開口部より上流側に配置したことを特徴とする水石鹸吐出器具。
【請求項２】
前記外挿管の外周には、前記送液管との間に設けられた隙間と大気とを繋ぐ貫通部を設けたことを特徴とする請求項１記載の水石鹸吐出器具。
【請求項３】
前記貫通部を、前記外挿管の下面領域を含む位置に設けたことを特徴とする請求項２記載の水石鹸吐出器具。
【請求項４】
前記外挿管の一部に屈折部を設けたことを特徴とする請求項１〜３のいずれかに記載の水石鹸吐出器具。
【請求項５】
前記外挿管を硬質な素材で形成すると共に、前記送液管を弾性変形可能な軟質素材で形成したことを特徴とする請求項１〜４のいずれかに記載の水石鹸吐出器具。
【請求項６】
前記水石鹸吐出器具を、カウンタなどの支持体に固定され人体検出手段が設けられた本体部と、前記本体部から略水平方向に突出する前記吐出経路とで構成し、前記外挿管の先端開口部を前記本体部の人体検知手段の検知領域外に配置したことを特徴とする請求項１〜５のいずれかに記載の水石鹸吐出器具。
【発明の詳細な説明】
【技術分野】
【０００１】
本発明は、人体検知手段により自動的に水石鹸を吐出させる機能を有する水石鹸吐出装置を構成する水石鹸吐水器具に関する。
【背景技術】
【０００２】
カウンタ付きの洗面器などにおいては、湯水を供給する給水栓のほかに、使用者が一定の動作を行うと水石鹸が吐出される水石鹸吐水装置が併設されたものがある。このような水石鹸吐出装置には様々な方式のものがあるが、従来は、吐出口近傍に設けられた所定の部材を手で押したり、引いたりすると、吐出口から水石鹸が吐出されるという、手動式のものが主流であった。ところが、近年は、使用者が吐出口付近に手を近づけただけで、ムース状になった水石鹸が自動的に吐出される機能を有するもの（例えば、特許文献１参照。）が主流になりつつある。
【０００３】
特許文献１に記載された水石鹸供給手段付き吐水装置（以下、「吐水装置」という。）の場合、使用者が水石鹸を使用するために水石鹸吐出口近傍に手を近づけるとセンサがそれを感知して、制御部を介して空気供給手段を作動させると同時に水石鹸供給手段の作動により、ムース状になった水石鹸が自動的に吐出口から吐出されるようになっている。
【０００４】
【特許文献１】特開２００１−２５４４７号公報
【発明の開示】
【発明が解決しようとする課題】
【０００５】
特許文献１記載の吐水装置は、使用者が吐出口に手を近づけるだけでムース状の水石鹸が吐出されるので、使い方は簡単で、非常に便利である。しかしながら、使用者がこの吐水装置が自動式であることに気付かず、従来の手動式の水石鹸吐出装置であると勘違いして使用することがある。この場合、使用者は吐出口に手を近づけるだけでよいことに気付かず、吐出口に手を当てたり、吐出口を押したりすることが多い。このため、吐出口が使用者の手で塞がれた状態となっているにもかかわらず、手の接近を検知したセンサからの信号によりポンプが作動してしまうことがある。
【０００６】
このような状況下でポンプが作動した場合、使用者の手で吐出口が完全に閉塞されていれば水石鹸が吐出されることはないのであるが、吐出口と手との間に隙間があると、その隙間から水石鹸が噴き出すことがある。吐出口より狭い隙間から噴き出した水石鹸は、思いがけない方向に勢い良く飛散することがあるため、飛散した水石鹸が、使用者や付近に居る人の顔や衣服などに付着して不快感を与えることがある。
【０００７】
一方、自動式の水石鹸供給器具は子供の興味を引き付けがちであるため、子供が悪戯で吐出口を塞いだ結果、水石鹸の飛散が発生することもある。また、大人による悪質な悪戯によって水石鹸吐出口が塞がれ、前述した水石鹸の飛散が発生することもある。また、このような悪戯は、特に、公共施設に配備される自動式の水石鹸供給器具において発生しやすいという問題がある。
【０００８】
本発明が解決しようとする課題は、使用者の誤認若しくは悪戯などによって水石鹸吐出口が手で閉塞されることがあっても水石鹸の不測な飛散が生じない、安全で快適な水石鹸吐出器具を提供することにある。
【課題を解決するための手段】
【０００９】
本発明の水石鹸吐出器具は、人体の接近を検知する人体検知手段と、前記人体検知手段からの検知信号に基づいて作動するポンプによって供給される水石鹸を先端開口部から吐出する吐出経路とを備えた水石鹸吐出器具において、前記吐出経路を、前記水石鹸の流路となる送液管と、大気中と連通する隙間を設けて前記送液管が内挿された外挿管とからなる二重管構造とし、前記送液管の先端開口部を前記外挿管の先端開口部より上流側に配置したことを特徴とする。
【００１０】
このような構成とすれば、水石鹸吐出口となる外挿管の先端開口部が手で閉塞された状態で送液管の先端開口部から水石鹸が吐出された場合、この水石鹸は送液管の先端開口部から外挿管内へ流出し、大気中と連通する隙間内を逆流する。このため、吐出経路を構成する外挿管内の圧力が大気圧より高まることがなくなり、外挿管の先端開口部と手との隙間から水石鹸が噴出することもなくなる。
【００１１】
ここで、前記外挿管の外周に、前記送液管との間に設けられた隙間と大気とを繋ぐ貫通部を設ければ、この貫通部が、水石鹸吐出口となる外挿管の先端開口部が手で閉塞された状態で供給された水石鹸が外挿管と送液管との隙間を逆流するとき、空気抜き流路あるいは水石鹸の排出経路として機能する。このため、水石鹸の噴出をより確実に防止することができる。
【００１２】
また、前記貫通部を、前記外挿管の下面領域を含む位置に設ければ、水石鹸吐出口となる外挿管の先端開口部が手で閉塞されたときに、外挿管と送液管との隙間を逆流しながら重力に従って外挿管の下面領域に集まる水石鹸を速やかに下方へ排出することができるようになる。従って、人体への飛散防止効果をさらに高めることができる。
【００１３】
また、前記外挿管の一部に屈折部を設ければ、吐出経路を構成する外挿管を隙間無く手で握ることが極めて困難となるため、吐出経路の先端開口部だけでなく、外挿管に設けられた貫通部までを含めて完全に閉塞しようとする悪質な悪戯を回避することができる。
【００１４】
さらに、前記外挿管を硬質な素材で形成すると共に、前記送液管を弾性変形可能な軟質素材で形成すれば、送液管は弾性的な屈曲性を具備することとなるため、屈折部を有する外挿管に送液管を内挿して二重管構造を形成する際の組み立て作業性が大幅に向上する。
【００１５】
一方、前記水石鹸吐出器具を、カウンタなどの支持体に固定され人体検出手段が設けられた本体部と、前記本体部から略水平方向に突出する前記吐出経路とで構成し、前記外挿管の先端開口部を前記本体部の人体検知手段の検知領域外に配置することが望ましい。このような構成とすれば、誤認若しくは悪戯により、外挿管の先端開口部が手で塞がれる事態が生じたときに、その手を本体部に設けられた人体検知手段が検知するのを回避することができるようになる。このため、外挿管の先端開口部が手で塞がれた状態で水石鹸供給用のポンプが作動するトラブルを防止することができる。
【発明の効果】
【００１６】
本発明により、使用者の誤認若しくは悪戯などによって水石鹸吐出口が閉塞されることがあっても水石鹸の飛散が生じない、安全で快適な水石鹸吐出器具を得ることができる。
【発明を実施するための最良の形態】
【００１７】
以下、図面に基づいて本発明の実施の形態について説明する。図１は本発明の実施の形態である水石鹸吐出器具を示す斜視図、図２は図１に示す水石鹸吐出器具を用いた水石鹸吐出装置の全体構成を示すブロック図、図３は図１に示す水石鹸吐出器具を上部カバーを外した状態で示す正面側の斜視図、図４は図３に示す水石鹸吐出器具の背面側の斜視図、図５は図４に示す水石鹸吐出器具の一部省略底面図、図６は図５におけるＡ−Ａ線断面図、図７は図６の一部拡大図、図８は図７におけるＢ−Ｂ線断面図、図９は図７における矢線Ｃ方向から見た図である。
【００１８】
図１に示すように、本実施形態の水石鹸吐出器具１は、洗面所などのカウンタ２に配置された洗面器３の近傍に給水栓４などとともに併設して使用される。水石鹸吐出器具１（以下「吐出器具１」と記す。）は、倒立コップ形状をした本体カバー５ａによって覆われた本体部５（図３参照）と、本体部５から本体カバー５ａの取付孔５ｂ（図３参照）を貫通して洗面器３内に向かって突出して設けられた吐出経路６とを備え、本体部５の正面の取付孔５ｂの下方にはセンサ窓７が設けられ、物体の接近を検知するセンサ８がセンサ窓７の内側に配置されている。
【００１９】
吐出器具１は鉄道の駅、ホテルなどの公共施設のトイレに設置されることが多いが、その場合、図２に示すように、複数の吐出器具１をカウンタ２に並列配置するとともにカウンタ２の下方領域に水石鹸タンク９や制御部１０などを配置することによって水石鹸吐出装置１１が形成されている。吐出器具１の本体部５には、水石鹸タンク９内と連通する水石鹸チューブ１２と、エアポンプ１３から延設されたエアチューブ１４とが接続され、エアポンプ１３およびセンサ８と制御部１０との間は電線１５が配線されている。この水石鹸吐出装置１１は、電源コード２７を介して制御部１０へ供給される商用電源（ＡＣ１００Ｖ）によって稼働する。
【００２０】
水石鹸タンク９内には液体状の水石鹸Ｓが貯留され、水石鹸Ｓの満水を検知するためのフロートスイッチ１６が水石鹸タンク９の周壁部９ａに設けられ、水石鹸Ｓの残量を検知するためのフロートスイッチ１７が水石鹸タンク９の底部９ｂに設けられている。これらのフロートスイッチ１６，１７は電線１８，１９を介して制御部１０と接続されている。水石鹸タンク９の上部は蓋体９ｃで閉塞され、蓋体９ｃの上部に、それぞれの吐出器具１と対応する複数の水石鹸ポンプ２０が配置されている。これらの水石鹸ポンプ２０はそれぞれ電線２１を介して制御部１０と接続されている。また、蓋体９ｃの直上付近の水石鹸チューブ１２には、水石鹸タンク９内への水石鹸Ｓの逆流を防止するための逆止弁１２ａが設けられている。
【００２１】
一方、水石鹸タンク９内へ水石鹸を補給するための補給ユニット２２がカウンタ２付近に設けられ、補給ユニット２２と水石鹸タンク９との間には、水石鹸を水石鹸タンク９内へ補給する際の送液経路となる補給ホース２３と、水石鹸を補給する際に水石鹸タンク９内のエアを逃がすためのエア抜きホース２４とが配管されている。補給ユニット２２は電線２５を介して制御部１０に接続されている。
【００２２】
水石鹸タンク９内の水石鹸Ｓが規定残量より減るとフロートスイッチ１７がそれを検知して制御部１０へ信号を送り、補給ユニット２２に設けられたＬＥＤ２６が比較的遅い間隔（例えば、２Ｈｚ）で点滅する。補給ユニット２２からの水石鹸補給により水石鹸タンク９内の水石鹸Ｓが規定容量より増えるとフロートスイッチ１６がそれを検知して制御部１０へ信号を送り、補給ユニット２２のＬＥＤ２６が連続点灯する。
【００２３】
次に、図３〜図９を参照して、吐出器具１の内部構造について説明する。図３，図４に示すように、本体カバー５ａを取り外すと本体部５が現れる。本体部５の下方には、カウンタ２（図１参照）などへの固定手段として、フランジ２８ａを有する略円筒形状の雄ねじ部２８と、この雄ねじ部２８に螺合された雌ねじ部材２９とが設けられている。雌ねじ部材２９を取り外した状態とした雄ねじ部２８を、カウンタ２に開設された固定孔（図示せず）に対して垂直上方から挿通し、カウンタ２の下面から突出した雄ねじ部２８に雌ねじ部材２９を螺着させることによって、カウンタ２をフランジ２８ａと雌ねじ部材２９の上面に設けられたパッキン２９ａとで挟み込んで本体部５を固定する。雄ねじ部２８内には水石鹸チューブ１２およびエアチューブ１４などが配管されている。
【００２４】
フランジ２８ａの上方には各部品の取付部３０が形成され、この取付部３０に、センサ８、吐出経路６の基端部を固定するための固定部材３１、水石鹸とエアとの混合が行われる混合室継手３２などが取り付けられ、フランジ２８ａからセンサ８の側方を通って起立配管された水石鹸チューブ１２およびエアチューブ１４の上端部１２ｂ，１４ｂがそれぞれ混合室継手３２に接続されている。
【００２５】
図６に示すように、固定部材３１の内部には、混合室継手３２と連通した気液流路３３が形成され、この気液流路３３の下流部と、吐出経路６の基端部との間にムースメッシュ３４が配置されている。水石鹸チューブ１２から供給された水石鹸と、エアチューブ１４から供給されたエアとが混合室継手３２内で混合され、気液流路３３を経由して吐出経路６方向へ送給され、最終的にこのムースメッシュ３４を通過することによってよりきめの細かなムース状に変化し、吐出経路６の先端開口部６ｃからムース状石鹸ＭＳとなって吐出される（図１参照。）。なお、本実施形態の説明において「上流」、「下流」という語句は、ムース状石鹸ＭＳが吐出される際の流動方向を基準にしている。
【００２６】
吐出経路６は、図６に示すように、金属管で形成された硬質な外挿管６ａと、外挿管６ａ内に隙間Ｐを設けて内挿された合成ゴムや合成樹脂製の外挿管６ａと比べて軟質な送液管６ｂとからなる二重管構造をなし、送液管６ｂの先端部６ｄを外挿管６ａの先端開口部６ｃより上流側に配置している。送液管６ｂの全長は外挿管６ａのそれより短く、送液管６ｂの先端部６ｄおよび基端部６ｅにはそれぞれ、軸方向の貫通孔３８ｈ，３９ｈを有するフランジ部材３８，３９が取り付けられている。そして、これらのフランジ部材３８，３９の外周部が外挿管６ａの内周面に当接することにより、少なくとも送液管６ｂの先端部６ｄおよび基端部６ｅが、外挿管６ａの内部において略同軸上に位置するように保持されている。
【００２７】
図８に示すように、上流側に位置するフランジ部材３９は、その最外周部分を外挿管６ａの内周面に隙間無く接触させて配置することにより、外挿管６ａの基端部６ｆの内部と隙間Ｐとを区画している。また、図９に示すように、下流側のフランジ部材３８は、その外周部分に放射状の４つの突起部３８ａを９０度間隔で形成し、これらの突起部３８ａの外周部分を外挿管６ａの内周面に当接させることにより、送液管６ｂを保持している。これにより、外挿管６ａの内周面とフランジ部材３８との間には４つの隙間Ｐ１が形成されている。なお、突起部３８ａは２つ（１８０度間隔）や３つ（１２０度間隔）であってもよく、外挿管６ａの内面とフランジ部材３８との間に隙間Ｐが形成されるように設ければよい。
【００２８】
一方、図６に示すように、外挿管６ａの基端部６ｆは、上部カバー５ａの取付孔５ｂを貫通して、本体部５の固定部材３１に水平に差し込まれ、基端部６ｆの下面から斜め上流側に向かって設けられたビス孔３６にビス３５を挿入して、その先端部を固定部材３１に螺着することによって本体部５に固定されている。図６，図７に示すように、外挿管６ａは本体部５から水平方向に突出した水平部６ｈと、この水平部６ｈの下流側から屈折部６ｇを経由して斜め下方に延設された傾斜部６ｉとで構成されている。
【００２９】
外挿管６ａ内に内挿された送液管６ｂは、外挿管６ａの形状に沿って配置されており、屈折部６ｇ内ではその形状に沿って湾曲状態を保っている。また、図５〜図７に示すように、外挿管６ａの下面領域を含む位置に、外挿管６ａの軸方向に沿って、スリット形状をした複数の貫通部３７ａ，３７ｂ，３７ｃが設けられている。なお、軟質材から成る送液管６ｂは弾性的な屈曲性を有するため、屈折部６ｇを有する外挿管６ａに送液管６ｂを内挿して二重管構造を形成する際の組み立て作業性は良好である。
【００３０】
次に、図１，図２，図１０〜図１２を参照して、水石鹸吐出装置１１の使い方について説明する。図１０〜図１２は図１に示す水石鹸吐出器具の使用状態の一例を示す斜視図である。図１に示すように、使用者が洗面器３に向かって手Ｈを差し出し、吐出経路６の先端開口部６ｃに掌Ｈ１を近づけると、本体部５（図３参照）の正面下部に配置されたセンサ８がそれを検知し、制御部１０を介して水石鹸ポンプ２０およびエアポンプ１３が作動する。これにより、貯留されている水石鹸Ｓが水石鹸チューブ１２を経由して吐出器具１の本体部５の混合室継手３２内へ圧送されるとともに、エアポンプ１３からエアチューブ１４を経由して混合室継手３２内へエアが供給される。
【００３１】
混合室継手３２内へ送り込まれた水石鹸と空気は、ここで混合状態となった後、図６に示す気液流路３３からムースメッシュ３４を通過する際にムース状石鹸ＭＳとなり、吐出経路６を構成する外挿管６ａの基端部６ｆ内へ送り込まれる。その後、ムース状石鹸ＭＳは、フランジ部材３９の貫通孔３９ｈから送液管６ｂ内へ流入し、そのまま送液管６ｂ内を通過し、フランジ部材３８の貫通孔３８ｈから外挿管６ａの傾斜部６ｉおよび先端開口部６ｃを経て、図１に示すように、洗面器３内にある使用者の手Ｈに向かってムース状石鹸ＭＳが吐出される。
【００３２】
図１に示すように、使用者が手Ｈを差し出していれば、予め設定された時間（例えば、０．２秒〜２０秒の範囲内で調整可能）だけエアポンプ１３および水石鹸ポンプ２０が作動した後、自動停止するので、約３ｍｌ程度の水石鹸が吐出される。なお、ムース状石鹸ＭＳの吐出途中で、手Ｈを引っ込めるなどしてセンサ８の検知領域から手Ｈが離れると、エアポンプ１３および水石鹸ポンプ２０が停止して、ムース状石鹸ＭＳの吐出は自動停止される。
【００３３】
一方、図１０に示すように、悪意を持った使用者が悪戯などの目的により、吐出器具１の吐出経路６を構成する外挿管６ａの先端開口部６ｃ（図１参照）を手Ｈで塞ぐことがある。ところが、吐出器具１の場合、センサ８は赤外線反射型のセンサであり、その赤外線の投光・受光方向が斜め下方を指向しており、かつ、外挿管６ａの先端開口部６ｃはセンサ８よりも高い場所に位置していることにより、外挿管６ａの先端開口部６ｃをセンサ８の検知領域Ｇの範囲外にとすることができ、先端開口部６ｃを塞ぐ位置に手Ｈがあってもセンサ８はそれを検知することがない。従って、図１０に示す状況が発生しても、エアポンプ１３および水石鹸ポンプ２０は作動せず、ムース状石鹸ＭＳ（図１参照）が吐出することもないので、悪戯による被害を回避することができる。
【００３４】
また、図１１に示すように、吐出器具１が手動式であると勘違いした使用者がセンサ８の検知領域内から伸ばした自分の手Ｈの掌Ｈ１を外挿管６ａの先端開口部６ｃ（図１参照）に押し付けたり、悪戯目的の使用者が自分の手Ｈをセンサ８の検知領域内に置きながら掌Ｈ１を先端開口部６ｃ（図１参照）に押し付けたりして、先端開口部６ｃを閉塞することがある。この場合、手Ｈがセンサ８の検知領域にあるため、エアポンプ１３および水石鹸ポンプ２０が作動して、ムース状石鹸ＭＳが送液管６ｂの先端部６ｄのフランジ部材３８から吐出される。ところが、図７に示すように、フランジ部材３８の先端開口部３８ａは外挿管６ａの先端開口部６ｃよりも上流側に配置されているため、先端開口部３８ａから吐出したムース状石鹸ＭＳは、先端開口部６ｃを閉塞している掌Ｈに跳ね返され傾斜部６ｉ内を逆流し、外挿管６ａの内周面とフランジ部材３８との間の隙間Ｐ１（図９参照）を通過して、隙間Ｐ内へ流れ込む。
【００３５】
隙間Ｐ内へ流れ込んだムース状石鹸ＭＳは、そのまま逆流しようとするが、図７に示すように、外挿管６ａの下面領域には貫通部３７ａ，３７ｂ，３７ｃが開設されているため、ムース状石鹸ＭＳは貫通部３７ａ，３７ｂ，３７ｃのいずれかより、矢線Ｍ方向へ排出され、使用者の掌Ｈ１または洗面器３内へ流出される。この場合、外挿管６ａには大気中に連通する貫通部３７ａ，３７ｂ，３７ｃがあるため、先端開口部６ｃが閉塞された状態でムース状石鹸ＭＳが供給されたとしても、外挿管６ａ内の圧力が高まることはなく、掌Ｈ１と先端開口部６ｃとの間に隙間からムース状石鹸ＭＳが噴出して顔や衣服などに付着することがない。
【００３６】
さらに、図１２に示すように、悪戯目的の使用者が自分の手Ｈをセンサ８の検知領域内に置きながら掌Ｈ１を先端開口部６ｃ（図１参照）に押し付けて閉塞するとともに、掌Ｈ１で外挿管６ａを掴んで貫通部３７ａ，３７ｂ，３７ｃまでも閉塞しようとすることがある。このような状況においても、手Ｈがセンサ８の検知領域にあるため、エアポンプ１３および水石鹸ポンプ２０が作動してムース状石鹸ＭＳが送液管６ｂの先端部６ｄのフランジ部材３８から吐出される。
【００３７】
ところが、外挿管６ａは屈折部６ｇを介して略へ字状に曲がっているため、貫通部３７ａ，３７ｂ，３７ｃを閉塞する目的で外挿管６ａを掌Ｈ１で掴んだ場合、屈折部６ｇの内側領域において、掌Ｈ１と外挿管６ａとの間に隙間が生じる。従って、屈折部６ｇ付近にある貫通部３７ａ，３７ｂを完全に閉塞することはほぼ不可能であり、貫通部３７ａ，３７ｂ，３７ｃのいずれかがムース状石鹸ＭＳの流出口として機能するため、掌Ｈと外挿管６ａの隙間からムース状石鹸ＭＳが噴出することがなく、悪戯の被害を回避することができる。
【００３８】
以上のことより、使用者の誤認若しくは悪戯などによって水石鹸吐出口である先端開口部６ｃが閉塞されることがあっても水石鹸の飛散が生じることがなくなるため、水石鹸吐出器具１は安全で快適なものとなる。なお、本実施形態の水石鹸吐出器具１は、水石鹸Ｓとエアとを混合して形成したムース状石鹸ＭＳを吐出するものであるが、本発明はこれに限定するものではないので、水石鹸のみを吐出する機能を有する水石鹸吐出器具においても広く使用することができる。
【産業上の利用可能性】
【００３９】
本発明は、駅，劇場，ホテル，学校等の不特定多数の人間が利用する公共施設の洗面所に配置して利用することができ、好適には人体検知に基づいて吐水・止水を行う自動水栓と組み合わされて広く利用することができる。
【図面の簡単な説明】
【００４０】
【図１】本発明の実施の形態である水石鹸吐出器具を示す斜視図である。
【図２】図１に示す水石鹸吐出器具を用いた水石鹸吐出装置の全体構成を示すブロック図である。
【図３】図１に示す水石鹸吐出器具を上部カバーを外した状態で示す正面側の斜視図である。
【図４】図３に示す水石鹸吐出器具の背面側の斜視図である。
【図５】図４に示す水石鹸吐出器具の一部省略底面図である。
【図６】図５におけるＡ−Ａ線断面図である。
【図７】図６の一部拡大図である。
【図８】図７におけるＢ−Ｂ線断面図である。
【図９】図７における矢線Ｃ方向から見た図である。
【図１０】図１に示す水石鹸吐出器具の使用状態の一例を示す斜視図である。
【図１１】図１に示す水石鹸吐出器具の使用状態の一例を示す斜視図である。
【図１２】図１に示す水石鹸吐出器具の使用状態の一例を示す斜視図である。
【符号の説明】
【００４１】
１  水石鹸吐出器具
２  カウンタ
３  洗面器
４  給水栓
５  本体部
５ａ  本体カバー
５ｂ  取付孔
６  吐出経路
６ａ  外挿管
６ｂ  送液管
６ｃ，３８ａ  先端開口部
６ｄ  先端部
６ｅ，６ｆ  基端部
６ｇ  屈折部
６ｈ  水平部
６ｉ  傾斜部
７  センサ窓
８  センサ
９  水石鹸タンク
９ａ  周壁部
９ｂ  底部
９ｃ  蓋体
１０  制御部
１１  水石鹸吐出装置
１２  水石鹸チューブ
１２ｂ，１４ｂ  上端部
１２ａ  逆止弁
１３  エアポンプ
１４  エアチューブ
１５，１８，１９，２１，２５  電線
１６，１７  フロートスイッチ
２０  水石鹸ポンプ
２２  補給ユニット
２３  補給ホース
２４  エア抜きホース
２６  ＬＥＤ
２７  電源コード
２８  雄ねじ部
２８ａ  フランジ
２９  雌ねじ部材
２９ａ  パッキン
３０  取付部
３１  固定部材
３２  混合室継手
３３  気液流路
３４  ムースメッシュ
３５  ビス
３６  ビス孔
３７ａ，３７ｂ，３７ｃ  貫通部
３８，３９  フランジ部材
３８ａ  突起部
３８ｈ，３９ｈ  貫通孔
Ｇ  検知領域
Ｈ  手
Ｈ１  掌
Ｍ  矢線
ＭＳ  ムース状石鹸
Ｓ  水石鹸
Ｐ，Ｐ１  隙間
【図１】
2006271404.tif 000003
【図２】
2006271404.tif 000004
【図３】
2006271404.tif 000005
【図４】
2006271404.tif 000006
【図５】
2006271404.tif 000007
【図６】
2006271404.tif 000008
【図７】
2006271404.tif 000009
【図８】
2006271404.tif 000010
【図９】
2006271404.tif 000011
【図１０】
2006271404.tif 000012
【図１１】
2006271404.tif 000013
【図１２】
2006271404.tif 000014